(57)【要約】【課題】大径から小径までサイズの異なる蓋の開閉に汎用的に用いることができ、かつコンパクトで、操作が簡単で、携帯あるいは保管も容易な、蓋開閉具を提供する。【解決手段】蓋開閉具が、蓋の外周に噛み合う歯付丸穴４が形成された丸穴歯付片６と、丸穴歯付片６の歯付丸穴４と同じ形状の歯を有する歯付凹円弧８が形成された円弧歯付片１０と、丸穴歯付片６および円弧歯付片１０を自在に、かつ歯付凹円弧８の回動軌跡Ｋを歯付丸穴４を横断自在にして連結した止め具１２を備えている。歯付丸穴４を蓋に嵌合して、あるいは歯付丸穴４とその上に位置付けた歯付凹円弧８それぞれの対向する歯の間に歯付丸穴４よりも小径の蓋を挟持して、異なる径の蓋を開閉する。【選択図】図１
0003151523.tif 000002
【実用新案登録請求の範囲】
【請求項１】
容器の蓋の外周に噛み合う歯付丸穴が形成された平板状の丸穴歯付片と、
この丸穴歯付片の歯付丸穴と実質的に同じ形状の歯を有する開放された歯付凹円弧が形成された平板状の円弧歯付片と、
丸穴歯付片および円弧歯付片を重ね相互に回動を自在に、かつ歯付凹円弧の回動軌跡を歯付丸穴の上を横断自在にして連結した止め具と、を備え、
丸穴歯付片の歯付丸穴を容器の蓋に嵌合して、あるいは歯付丸穴とその上に回動させ位置付けた歯付凹円弧それぞれの対向する歯の間に歯付丸穴よりも小径の蓋を挟持して、異なる径の蓋の開閉を可能にした、
ことを特徴とする蓋開閉具。
【請求項２】
円弧歯付片は、
止め具を中心に回動させ丸穴歯付片に重ねたときに、その外形が丸穴歯付片の外形と、歯付凹円弧の部分を除き、合致する形状に形成されている、
ことを特徴とする請求項１記載の蓋開閉具。
【請求項３】
丸穴歯付片および円弧歯付片は、
外形が略菱形に形成され、菱形の長手方向の一端部が該止め具によって連結され、他端の縁部には操作手指用の突起を備えている、
ことを特徴とする請求項１または２記載の蓋開閉具。
【請求項４】
止め具が、鳩目穴を備えている、
ことを特徴とする請求項１から３までのいずれかに記載の蓋開閉具。
【請求項５】
丸穴歯付片または円弧歯付片が、
外形の縁から内方に延びるスリットおよびスリット内に切り刃を有したカッターを備えている、
ことを特徴とする請求項１から４までのいずれかに記載の蓋開閉具。
【考案の詳細な説明】
【技術分野】
【０００１】
本考案は、蓋開閉具、さらに詳しくは、ペットボトルのキャップのような蓋を楽に開閉することができる蓋開閉具に関する。
【背景技術】
【０００２】
ペットボトル、チューブ、箱、袋などの容器を、密閉閉じている周知のねじ込み式の蓋は、手指の力の弱い、例えば年配者、子供にとって開けるのが困難である。また、十分に締付けて閉じるのも難しい。そこで、簡便な開閉具として、蓋に被せる穴と、穴から離れた所に指をかける穴を有したものが開発されている（例えば、特許文献１参照）。
【先行技術文献】
【特許文献】
【０００３】
【特許文献１】特開２００８−７４４８７号公報（図１、図３）
【考案の概要】
【考案が解決しようとする課題】
【０００４】
しかしながら、上述のような蓋開閉具には、さらなる改善の望まれている課題がある。
【０００５】
すなわち、日常生活において多く利用される飲料などのペットボトルの蓋は、容器の大きさ、形状が違っても基本的に略同一の大きさ（径）を有している。しかしながら、ペットボトルの蓋よりも小径の、例えば、薬のチューブ、ゼリーの袋などの蓋は、小径であるために手指の力を入れにくい。したがって種々の径の蓋を開閉できる開閉具が望まれているが、複数の穴を開閉具（例えば、特許文献１参照）に用意するのは実際的でない。
【０００６】
本考案は上記事実に鑑みてなされたもので、その技術的課題は、大径から小径までサイズの異なる蓋の開閉に汎用的に用いることができ、かつコンパクトで、操作が簡単で、携帯あるいは保管も容易な、蓋開閉具を提供することである。
【課題を解決するための手段】
【０００７】
本考案によれば上記技術的課題を解決する蓋開閉具として、容器の蓋の外周に噛み合う歯付丸穴が形成された平板状の丸穴歯付片と、この丸穴歯付片の歯付丸穴と実質的に同じ形状の歯を有する開放された歯付凹円弧が形成された平板状の円弧歯付片と、丸穴歯付片および円弧歯付片を重ね相互に回動を自在に、かつ歯付凹円弧の回動軌跡を歯付丸穴の上を横断自在にして連結した止め具と、を備え、丸穴歯付片の歯付丸穴を容器の蓋に嵌合して、あるいは歯付丸穴とその上に回動させ位置付けた歯付凹円弧それぞれの対向する歯の間に歯付丸穴よりも小径の蓋を挟持して、異なる径の蓋の開閉を可能にした、ことを特徴とする蓋開閉具が提供される。
【０００８】
好適には、円弧歯付片は、止め具を中心に回動させ丸穴歯付片に重ねたときに、その外形が丸穴歯付片の外形と、歯付凹円弧の部分を除き、合致する形状に形成されている。丸穴歯付片および円弧歯付片は、外形が略菱形に形成され、菱形の長手方向の一端部が該止め具によって連結され、他端の縁部には操作手指用の突起を備えている。止め具は、鳩目穴を備えている。
【０００９】
さらに、丸穴歯付片または円弧歯付片が、外形の縁から内方に延びるスリットおよびスリット内に切り刃を有したカッターを備えている。
【考案の効果】
【００１０】
本考案に従って構成された蓋開閉具は、蓋に噛み合う歯付丸穴が形成された平板状の丸穴歯付片と、歯付凹円弧が形成された平板状の円弧歯付片と、これらを重ね相互に回動を自在に、かつ歯付凹円弧が歯付丸穴の上を自在に横断できるように連結した止め具を備えている。
【００１１】
したがって、丸穴歯付片の歯付丸穴を容器の蓋に嵌合することにより、あるいは歯付丸穴とその上に回動させ位置付けた歯付凹円弧それぞれの対向する歯の間に歯付丸穴よりも小径の蓋を挟持することにより、大径から小径までサイズの異なる蓋の開閉に汎用的に用いることができ、コンパクトに折り重ねることができ、操作が簡単で、携帯あるいは保管も容易な、蓋開閉具を提供できる。
【図面の簡単な説明】
【００１２】
【図１】本考案に従って構成された蓋開閉具の、丸穴歯付片および円弧歯付片を広げた状態の（ａ）正面図（ｂ）側面図。
【図２】図１に示す蓋開閉具の丸穴歯付片および円弧歯付片を折り重ねた状態の（ａ）正面図（ｂ）側面図。
【図３】図１の蓋開閉具の円弧歯付片にカッターを備えた形態の、丸穴歯付片および円弧歯付片の（ａ）広げた状態の図（ｂ）折り重ねた状態の図。
【図４】図１の蓋開閉具の使用例で（ａ）ペットボトルの蓋の開閉状態を示す図（ｂ）小径の蓋の開閉状態を示す図。
【考案を実施するための形態】
【００１３】
以下、本考案に従って構成された蓋開閉具について、好適実施形態を図示している添付図面を参照して、さらに詳細に説明する。
【００１４】
図１および図２、主として図１を参照して説明する。番号２で示す蓋開閉具は、容器の蓋の外周に噛み合う歯付丸穴４が形成された平板状の丸穴歯付片６と、丸穴歯付片６の歯付丸穴４の歯Ｔと実質的に同じ形状の歯Ｔを有する、外縁に開放された歯付凹円弧８が形成された平板状の円弧歯付片１０と、丸穴歯付片６および円弧歯付片１０を重ね相互に回動を自在に連結した止め具１２を備えている。
【００１５】
丸穴歯付片６および円弧歯付片１０は、外形が略菱形に形成され、菱形の長手方向の一端部が止め具１２によって連結されている。歯付丸穴４は、丸穴歯付片６の菱形の中央に形成されている。円弧歯付片１０は、止め具１２を中心に矢印Ｘで示す方向に回動させ丸穴歯付片６の上に折り重ねたとき（図２（ａ））に、その外形が丸穴歯付片６の外形と、歯付凹円弧８の部分を除き、合致する形状に形成されている。
【００１６】
丸穴歯付片６および円弧歯付片１０の菱形長手方向の他端の縁部には、操作手指用の突起１４が形成されている。
【００１７】
丸穴歯付片６および円弧歯付片１０は、ポリカーボネート樹脂を成形して形成されている。止め具１２は鳩目穴１２ａを有し金属によって形成されている。丸穴歯付片６および円弧歯付片１０は、硬質の、ゴム、紙など他の材料で形成してもよい。止め具１２は樹脂製でもよい。
【００１８】
歯付丸穴４および歯付凹円弧８の歯Ｔは、正三角の鋸歯状に形成されている。歯Ｔの形状は開閉する蓋に噛み合うことができれば正三角でなくてもよい。
【００１９】
円弧歯付片１０の歯付凹円弧８は、丸穴歯付片６に重ねる矢印Ｘで示す方向に回動させたとき、その回動軌跡Ｋ（一点鎖線で示す）が歯付丸穴４の上を横断自在となるように、また歯付丸穴４の歯Ｔと対向して歯付丸穴４よりも小径の蓋（図１に例としてＡ、Ｂで示す）を挟持するように配置されている。
【００２０】
蓋開閉具２の他の形態は、図３に示すように、丸穴歯付片６および円弧歯付片１０のいずれか一方（実施例では円弧歯付片１０）に、その外形の縁から内方に延びるスリット１６ａおよびスリット１６ａ内に切り刃１６ｂを有したカッター１６を備えている。切り刃１６ｂは円弧歯付片１０の成形時に一体に埋め込まれ取り付けられている。このカッター１６は、袋などに「開封用の切り込み」をつけるときに、あるいは商品にタグを取り付ける「プラスチックの紐」を切断するときなどに、有効に用いることができる。
【００２１】
蓋開閉具２の具体的な使用例を、図４を参照して説明する。
図４（ａ）は、一般的な、ペットボトルＰの蓋Ｃ１に、丸穴歯付片６の歯付丸穴を嵌合して開閉する例である。
図４（ｂ）は、袋状の容器Ｈの、蓋Ｃ１よりも小径の蓋Ｃ２を、丸穴歯付片６と円弧歯付片１０を折り重ね、歯付丸穴４とその上に位置付けた歯付凹円弧８それぞれの対向する歯Ｔの間に蓋Ｃ２を挟持して開閉する例である。
【００２２】
上述したとおりの蓋開閉具２の作用効果について説明する。
【００２３】
蓋開閉具２は、蓋に噛み合う歯付丸穴４が形成された平板状の丸穴歯付片６と、歯付凹円弧８が形成された平板状の円弧歯付片１０と、これらを重ね相互に回動を自在に、かつ歯付凹円弧８が歯付丸穴４の上を自在に横断できるように連結した止め具１２を備えている。
【００２４】
したがって、丸穴歯付片６の歯付丸穴４を容器の蓋に嵌合することにより、あるいは歯付丸穴４とその上に回動させ位置付けた歯付凹円弧８それぞれの対向する歯Ｔの間に歯付丸穴４よりも小径の蓋を挟持することにより、大径から小径までサイズの異なる蓋の開閉に汎用的に用いることができ、コンパクトに折り重ねることができ、操作が簡単で、携帯あるいは保管も容易な、蓋開閉具を提供することができる。
【００２５】
円弧歯付片１０は、止め具１２を中心に回動させ丸穴歯付片６に重ねたときに（図２の状態）、その外形が丸穴歯付片６の外形と、歯付凹円弧８の部分を除き、合致する形状に形成されている。したがって、コンパクトで、携帯に便利な蓋開閉具を提供できる。
【００２６】
また、丸穴歯付片６および円弧歯付片１０は、外形が略菱形に形成され、菱形の長手方向の一端部が止め具１２によって連結され、他端の縁部には操作手指用の突起１４を備えている。したがって、よりコンパクトで、操作が簡単な蓋開閉具を提供できる。
【００２７】
止め具１２は、鳩目穴１２ａを備えている。したがって、紐を通して蓋開閉具２の携帯を容易にすることができ、また釘状のフックに掛けて使用しやすいところに保管することができる。
【００２８】
さらに、丸穴歯付片６または円弧歯付片１０に、外形の縁から内方に延びるスリット１６ａおよびスリット１６ａ内に切り刃１６ｂを有したカッター１６を備えれば、手指の力では開けにくい袋を開封する際に「切り込み」をつけるのに、また衣類等の値札などのタグを止めている手指では切りにくい「プラスチック紐の切断」に有効に用いることができる。
【００２９】
以上、本考案を実施例に基づいて詳細に説明したが、本考案は上記の実施例に限定されるものではなく、例えば下記のように、本発明の範囲内においてさまざまな変形あるいは修正ができるものである。
【００３０】
実施例においては、丸穴歯付片６および円弧歯付片１０は同じ大きさの外形に形成されているが、必ずしも同じ大きさでなくてもよい。
【００３１】
また、実施例においては、丸穴歯付片６および円弧歯付片１０は菱形に形成されたが、必ずしも菱形でなくてもよい。
【符号の説明】
【００３２】
２：蓋開閉具
４：歯付丸穴
６：丸穴歯付片
８：歯付凹円弧
１０：円弧歯付片
１２：止め具
１４：突起
１６：カッター
Ｋ：回動軌跡
【図１】
0003151523.tif 000003
【図２】
0003151523.tif 000004
【図３】
0003151523.tif 000005
【図４】
0003151523.tif 000006